(57)【要約】【課題】  磁気ディスクの記録面を破壊することなく、磁気ディスク装置の使用を不能にする。【解決手段】  情報処理装置に内蔵される磁気ディスクドライブ内に設けられるヒューズに過電流を流すことで磁気ディスクドライブを使用不可状態にさせる。【選択図】  図２
2007102879.tif 000002
【特許請求の範囲】
【請求項１】
本体と、
前記本体に内蔵される磁気ディスクドライブと、
前記磁気ディスクドライブ内に設けられるヒューズと、
前記磁気ディスクドライブ内に設けられ、前記ヒューズに所定値以上の値を有する電流
を流すことで前記磁気ディスクドライブを使用不可状態にさせる制御部と、
を具備することを特徴とする情報処理装置。
【請求項２】
前記磁気ディスクドライブと通信可能な磁気ディスクドライブコントローラをさらに具備
し、
前記ヒューズは前記磁気ディスクドライブコントローラと前記制御部との間に設けられ
ることを特徴とする請求項１記載の情報処理装置。
【請求項３】
前記磁気ディスクドライブ内に設けられ、前記磁気ディスク内に含まれるモジュールへの
電力供給を制御する電源部をさらに具備し、
前記ヒューズは前記電源部と前記モジュールとの間に設けられることを特徴とする請求
項１記載の情報処理装置。
【請求項４】
ユーザによって操作可能な操作部をさらに具備し、
前記制御部は前記ユーザによる前記操作部の操作に応じて前記磁気ディスクドライブを
使用不可状態にさせることを特徴とする請求項１記載の情報処理装置。
【請求項５】
前記磁気ディスクドライブと通信可能な磁気ディスクドライブコントローラをさらに具備
し、
前記磁気ディスクドライブコントローラは前記磁気ディスクドライブを使用不可状態に
させるコマンドを前記制御部に伝送し、
前記制御部は前記コマンドを受信すると前記磁気ディスクドライブを使用不可状態にさ
せることを特徴とする請求項１記載の情報処理装置。
【請求項６】
本体に内蔵される磁気ディスクドライブと、前記磁気ディスクドライブ内に設けられるヒ
ューズと、ユーザによって操作可能な操作部とを具備する情報処理装置にて実行される磁
気ディスクドライブ制御方法において、
前記ユーザによる前記操作部の操作を検出し、
前記操作部の操作に応じて前記ヒューズに所定値以上の値を有する電流を流すことで前
記磁気ディスクドライブを使用不可状態に制御することを特徴とする磁気ディスクドライ
ブ制御方法。
【請求項７】
前記操作部の操作に応じて前記磁気ディスクドライブ内に含まれるモジュールへの電力供
給を制御する電源部と前記モジュールとの間に設けられるヒューズに所定値以上の値を有
する電流を流すことで前記磁気ディスクドライブを使用不可状態に制御することを特徴と
する請求項６記載の磁気ディスクドライブ制御方法。
【請求項８】
前記操作部の操作に応じて前記情報処理装置内に設けられ前記磁気ディスクドライブと通
信可能である磁気ディスクドライブコントローラから前記磁気ディスクドライブを使用不
可状態にさせるコマンドを前記磁気ディスクドライブに伝送し、
前記磁気ディスクドライブは前記コマンドを受信すると、前記ヒューズに所定値以上の
値を有する電流を流すことで前記磁気ディスクドライブを使用不可状態に制御することを
特徴とする請求項６記載の磁気ディスクドライブ制御方法。
【請求項９】
前記操作部の操作に応じて前記情報処理装置内に設けられ前記磁気ディスクドライブと通
信可能である磁気ディスクドライブコントローラと前記磁気ディスクドライブ内に設けら
れ前記磁気ディスクドライブを制御する制御部との間に設けられるヒューズに所定値以上
の値を有する電流を流すことで前記磁気ディスクドライブを使用不可状態に制御すること
を特徴とする請求項６記載の磁気ディスクドライブ制御方法。
【発明の詳細な説明】
【技術分野】
【０００１】
本発明は、磁気ディスク装置の使用を不能にする方法および該方法を実行可能な情報処
理装置に関する。
【背景技術】
【０００２】
近年、情報処理装置に搭載される磁気ディスク装置のディスク容量は年々増加傾向にあ
る。また、ディスク容量が年々増加するにつれて、磁気ディスク装置の出荷台数も年々増
加しており、多くの情報処理装置に磁気ディスクが搭載される傾向にある。
【０００３】
さらに、磁気ディスク装置の出荷台数が増加するにつれて、使用されなくなった磁気デ
ィスク装置のディスクに記憶されたままであるデータを如何に処理するかという問題が生
じている。磁気ディスク装置のディスクに記憶されたままであるデータの処理の仕方とし
て、ハードディスク装置の開封を検出した際、剛体突起を用いて記録面を機械的に破壊す
る、といった技術があった（特許文献１参照。）。
【特許文献１】特開２００４−５５０２０号公報（第３頁、第３図）
【発明の開示】
【発明が解決しようとする課題】
【０００４】
しかしながら、特許文献１に記載されている技術は、特許文献１に記載されている技術
は、ハードディスク装置の記録面を機械的に破壊するための剛体突起を該ハードディスク
装置に設けている。
【０００５】
本発明は、磁気ディスクの記録面を破壊することなく、磁気ディスク装置の使用を不能
にする方法および該方法を実行可能な情報処理装置を提供することを目的とする。
【課題を解決するための手段】
【０００６】
上記目的を達成するために、請求項１に係わる情報処理装置は、本体と、前記本体に内
蔵される磁気ディスクドライブと、前記磁気ディスクドライブ内に設けられるヒューズと
、前記磁気ディスクドライブ内に設けられ、前記ヒューズに所定値以上の値を有する電流
を流すことで前記磁気ディスクドライブを使用不可状態にさせる制御部と、を具備するこ
とを特徴とする。
【０００７】
また、請求項６に係わる磁気ディスクドライブ制御方法は、本体に内蔵される磁気ディ
スクドライブと、前記磁気ディスクドライブ内に設けられるヒューズと、ユーザによって
操作可能な操作部とを具備する情報処理装置にて実行される磁気ディスクドライブ制御方
法において、前記ユーザによる前記操作部の操作を検出し、前記操作部の操作に応じて前
記ヒューズに所定値以上の値を有する電流を流すことで前記磁気ディスクドライブを使用
不可状態に制御することを特徴とする。
【発明の効果】
【０００８】
本発明によれば、磁気ディスクの記録面を破壊することなく、磁気ディスク装置の使用
を不能にする方法および該方法を実行可能な情報処理装置を提供することが可能となる。
【発明を実施するための最良の形態】
【０００９】
以下本発明に係る実施の形態を、図面を参照して説明する。
【００１０】
まず、図１を参照して、情報処理装置のシステム構成の一例について説明する。この情
報処理装置は、例えば、ノートブック型パーソナルコンピュータ（以下、コンピュータと
称す。）１として実現されている。
【００１１】
ホストハブ１１には、ＣＰＵ１０、メモリ１３、グラフィックスコントローラ１５およ
びＩ／Ｏハブ２０が接続されている。
【００１２】
ホストハブ１１はＣＰＵ１０のシステムバス１２とＩ／Ｏハブ２０との間を接続するブ
リッジデバイスである。ホストハブ１１にはメモリ１３へのアクセスを制御するメモリコ
ントローラが内蔵されている。
【００１３】
ＣＰＵ１０はコンピュータ１の動作を制御するために設けられたプロセッサである。Ｃ
ＰＵ１０は外部記憶装置であるハードディスクドライブ（ＨＤＤ）２１からメモリバス１
４を介してメモリ１３にロードされる、オペレーティングシステム（ＯＳ）および各種ア
プリケーション／ユーティリティプログラムを実行する。また、ＣＰＵ１０は、ＢＩＯＳ
−ＲＯＭ２２に格納されたＢＩＯＳ（Basic Input Output System）も実行する。
【００１４】
ホストハブ１１にＡＧＰバス１６を介して接続されるグラフィクスコントローラ１５は
コンピュータ１のディスプレイモニタとして使用されるＬＣＤ１８を制御する。グラフィ
クスコントローラ１５はビデオメモリ（ＶＲＡＭ）１７を有しており、ＯＳ／アプリケー
ションプログラムによってビデオメモリ１７に描画されたデータをＬＣＤ１８に表示する
。
【００１５】
ホストハブ１１と例えばハブインターフェイスといった専用バスで接続されるＩ／Ｏハ
ブ２０は、ＰＣＩ（Peripheral Component Interconnect）バス２３上の各デバイスおよ
びＬＰＣ（low pin count）バス２２上の各デバイスを制御する。Ｉ／Ｏハブ２０には、
外部記憶装置であるＨＤＤ２１を制御するためのＩＤＥ（Integrated Drive Electronics
）コントローラ２０ａが内蔵される。
【００１６】
ＨＤＤ２１はＩ／Ｏハブ２０とＡＴＡバス２１ａを介して接続される。ＨＤＤ２１には
、オペレーティングシステム（ＯＳ）、各種アプリケーション／ユーティリティプログラ
ムおよびアプリケーションプログラムを使用することでユーザが作成したデータ等が記憶
される。
【００１７】
ＨＤＤ２１にはＨＤＤ２１にて行われる諸制御を司るコントローラ２１ｂが設けられる
。
【００１８】
ＬＰＣバス２２上にはエンベデッドコントローラ／キーボードコントローラＩＣ（ＥＣ
／ＫＢＣ）２３が接続される。
【００１９】
エンベデッドコントローラ／キーボードコントローラＩＣ（ＥＣ／ＫＢＣ）２３は、電
力管理のためのエンベデッドコントローラと、キーボード（ＫＢ）２９を制御するための
キーボードコントローラとが集積された１チップマイクロコンピュータである。ＥＣ／Ｋ
ＢＣ２３は、ユーザによるパワーボタンの操作に応じてコンピュータ１をパワーオン／パ
ワーオフする機能を有している。ＥＣ／ＫＢＣ２３には、キーボード２９、ＰＳＣ（Ｐｏ
ｗｅｒ  Ｓｕｐｐｌｙ  Ｃｏｎｔｒｏｌｅｒ）３０およびメインスイッチ３９が接続され
る。また、ＰＳＣ３９にはＡＣ電源３１および二次電池３２が接続される。
【００２０】
キーボード２９は入力部であり、該キーボード２９は英字、カナ、数字、記号などが刻
印されたキー群で構成され、ユーザがこれらのキーを押下すると、キーに割り当てられた
文字がコンピュータ１に入力される。
【００２１】
メインスイッチ３９はコンピュータ１を構成するモジュール群に電力供給を開始する際
に押下げされるスイッチである。ＥＣ／ＫＢＣ２３はメインスイッチ３９が押下げられた
ことを検知しＰＳＣ３０に電力を供給するように通知する。ＰＳＣ３０はＡＣ電源３１ま
たは二次電池３２から供給される電力をコンピュータ１内の各モジュールに供給する。二
次電池３２は交換可能に設けられる。ＡＣ電源３１からコンピュータ１に電源が供給され
ている場合、ＡＣ電源３１から供給される電力は、ＰＳＣ３０を介して二次電池３２に蓄
積される。次にＨＤＤ２１の第１のハードウェア構成について説明する。
【００２２】
図２は、ＨＤＤの第１のハードウェア構成の一例を示す図である。ＨＤＤ２１内にはコ
ントローラ２１ｂ、ヒューズ２１ｃ、電源コントローラ２１ｄが設けられている。
【００２３】
ヒューズ２１ｃはコントローラ２１ｂとＩＤＥコントローラ２０ａとを接続する通信線
上に設けられる。ヒューズ２１ｃに所定値以上の値を有する過電流が流れると、ヒューズ
２１ｃが破壊される。
【００２４】
電源コントローラ２１ｄはＨＤＤ２１内の各モジュールへの電力供給を制御する。電源
コントローラ２１ｄはコントローラ２１ｂから送出される制御信号に基づいて、ＨＤＤ２
１内の各モジュールへの電力供給の制御を行う。次に、図２を用いて説明したＨＤＤ２１
を使用不可とする手順について説明する。
【００２５】
図３は、ＨＤＤ２１を使用不可とする第１の手順を説明する流れ図である。
【００２６】
例えばＨＤＤ２１を使用不可とする際に使用されるユーティリティを起動し、ＨＤＤ２
１を使用不可とする処理を開始する。例えばユーティティ起動時にＬＣＤ１８に表示され
る、ＨＤＤ２１の使用不可処理開始ボタン（操作部）をユーザが押下操作することで、Ｈ
ＤＤ２１を使用不可とする処理が開始される（ステップ  Ｓ１０１）。
【００２７】
ユーティリティを実行後、ＯＳは操作部が操作された、すなわちユーティリティが実行
されたことを検出し、ユーティリティからＯＳを介してＨＤＤドライバに、ＨＤＤ２１を
使用不可とする旨が通知される。ＨＤＤドライバはこの通知を受け取ると、ＨＤＤドライ
バはＩＤＥコントローラ２０ａからＨＤＤ２１に対してＨＤＤ２１を使用不可とするコマ
ンド（使用不可コマンドと称す。）を送信するように、ＩＤＥコントローラ２０ａを制御
する（ステップ  Ｓ１０２）。
【００２８】
ＨＤＤ２１内のコントローラ２１ｂはＩＤＥコントローラ２０ａから送信された使用不
可コマンドを受信すると、コントローラ２１ｂは電源コントローラ２１ｄを制御すること
でヒューズ２１ｃに過電流を流す（ステップ  Ｓ１０３）。
【００２９】
ヒューズ２１ｃに過電流が流れることで、ヒューズ２１ｃが破壊される（ステップ  Ｓ
１０４）。
【００３０】
このように、コントローラ２１ｂとＩＤＥコントローラ２０ａとの間にヒューズ２１ｃ
を設け、このヒューズ２１ｃに過電流を流しヒューズ２１ｃを破壊することで、ＩＤＥコ
ントローラ２０ａおよびコントローラ２１ｂは互いに通信を行うことができなくなる。し
たがって、ＨＤＤ２１は使用不可状態となる。次にＨＤＤ２１の第２のハードウェア構成
について説明する。
【００３１】
図４は、ＨＤＤの第２のハードウェア構成の一例を示す図である。ＨＤＤ２１内にはコ
ントローラ２１ｂ、ヒューズ２１ｃ、電源コントローラ２１ｄが設けられている。
【００３２】
電源コントローラ２１ｄはＨＤＤ２１内の各モジュールへの電力供給を制御する。コン
トローラ２１ｂは各モジュール中の一つのモジュールである。電源コントローラ２１ｄは
コントローラ２１ｂから送出される制御信号に基づいて、ＨＤＤ２１内の各モジュールへ
の電力供給の制御を行う。
【００３３】
ヒューズ２１ｃは電源コントローラ２１ｄとＨＤＤ２１内の各モジュールとを接続する
電源ライン上に設けられる。ヒューズ２１ｃに所定値以上の過電流が流れると、ヒューズ
２１ｃが破壊される。次に、図５を用いて説明したＨＤＤ２１を使用不可とする手順につ
いて説明する。
【００３４】
図５は、ＨＤＤ２１を使用不可とする第２の手順を説明する流れ図である。
【００３５】
例えばＨＤＤ２１を使用不可とする際に使用されるユーティリティを起動し、ＨＤＤ２
１を使用不可とする処理を開始する（ステップ  Ｓ２０１）。
【００３６】
ユーティリティを実行することでＯＳを介してＨＤＤドライバに、ＨＤＤ２１を使用不
可とする旨が通知される。ＨＤＤドライバはこの通知を受け取ると、ＨＤＤドライバは、
ＩＤＥコントローラ２０ａからＨＤＤ２１に対してＨＤＤ２１を使用不可とするコマンド
（使用不可コマンドと称す。）を送信するように、ＩＤＥコントローラ２０ａを制御する
（ステップ  Ｓ２０２）。
【００３７】
ＨＤＤ２１内のコントローラ２１ｂはＩＤＥコントローラ２０ａから送信された使用不
可コマンドを受信すると、コントローラ２１ｂは電源コントローラ２１ｄを制御すること
で、ヒューズ２１ｃに過電流を流す（ステップ  Ｓ２０３）。
【００３８】
ヒューズ２１ｃに過電流が流れることで、ヒューズ２１ｃが破壊される（ステップ  Ｓ
１０４）。
【００３９】
このように、ヒューズ２１ｃは電源コントローラ２１ｄとＨＤＤ２１内の各モジュール
との間に設け、このヒューズ２１ｃに過電流を流しヒューズ２１ｃを破壊することで、Ｈ
ＤＤ２１内の各モジュールへの電力供給が遮断される。したがって、ＨＤＤ２１は使用不
可状態となる。
【００４０】
上述にて説明したＨＤＤ２１を使用不可とする第１の手順および第２の手順では、ＨＤ
Ｄ２１を使用不可とするためのユーティリティを用いてＨＤＤ２１を使用不可とする処理
を開始させたが、例えばキーボード２９を構成するキー群のうち、所定のキー（操作部）
を押下操作することでＨＤＤ２１を使用不可とする処理を開始させてもよい。
【００４１】
本発明は上記実施形態をそのままに限定されるものではなく、実施段階ではその要旨を
逸脱しない範囲で構成要素を変形して具体化できる。また、上記実施形態に開示されてい
る複数の構成要素の適宜な組み合わせにより、種々の発明を形成できる。例えば、実施形
態に示されている全構成要素から幾つかの構成要素を削除してもよい。さらに、異なる実
施形態にわたる構成要素を適宜組み合わせてもよい。
【図面の簡単な説明】
【００４２】
【図１】情報処理装置のシステム構成の一例を示す図。
【図２】ＨＤＤの第１のハードウェア構成の一例を示す図。
【図３】ＨＤＤを使用不可とする第１の手順を説明する流れ図。
【図４】ＨＤＤの第２のハードウェア構成の一例を示す図。
【図５】ＨＤＤ２１を使用不可とする第２の手順を説明する流れ図。
【符号の説明】
【００４３】
１…コンピュータ、２…本体、３…表示ユニット、４…ＬＣＤ、
５…キーボード、６…パワーボタン、７…ＡＣアダプタ、１０…ＣＰＵ、
１３ａ…Ｓｙｓｔｅｍ  ＢＩＯＳ、１３ｂ…ＯＳ、
２０ａ…ＩＤＥコントローラ、２１…ＨＤＤ、２１ｂ…コントローラ、
２１ｃ…ヒューズ、２１ｄ…電源コントローラ、２８…ＥＣ／ＫＢＣ、
【図１】
2007102879.tif 000003
【図２】
2007102879.tif 000004
【図３】
2007102879.tif 000005
【図４】
2007102879.tif 000006
【図５】
2007102879.tif 000007